(57)【要約】【課題】２つの逆相防止リレーを設けることなく、マグネットスイッチの溶着を検出する。【解決手段】コンテナ用冷凍装置（10）は、三相交流電源（1）に電源ライン（61）を介して接続された圧縮機モータ（21b）および各ファン（24,26a,26b）のモータ（45,46a,46b）と、三相交流電源（1）の位相を切り換えることで通電を制御する第１および第２マグネットスイッチ（72,73）とを備えたものを対象としている。第１および第２マグネットスイッチ（72,73）の接点を切断した状態において、各ファン（24,26a,26b）のモータ（45,46a,46b）のみを駆動させることによる駆動電流の増加に基づいて第１および第２マグネットスイッチ（72,73）の溶着を検出する制御回路（80）を備えている。【選択図】図５
2013029294.tif 000002
【特許請求の範囲】
【請求項１】
三相交流電源（1）に電源ライン（61）を介して接続された負荷（21b,45,46a,46b）と、上記三相交流電源（1）の位相を切り換えることで上記負荷（21b,45,46a,46b）への通電を制御する開閉器（71）とを備えたコンテナ用冷凍装置であって、
上記負荷（21b,45,46a,46b）は、冷媒回路に接続される圧縮機（21）およびファン（24,26a,26b）を駆動させる圧縮機モータ（21b）およびファンモータ（45,46a,46b）に構成される一方、
上記開閉器（71）の接点を切断した状態において、上記ファンモータ（45,46a,46b）のみを駆動させることによる駆動電流の増加に基づいて上記開閉器（71）の溶着を検出する溶着検出器（80）を備えている
ことを特徴とするコンテナ用冷凍装置。
【請求項２】
請求項１において、
上記三相交流電源（1）の電流を検出する電流検出器（85）を備え、
上記溶着検出器（80）は、上記電流検出器（85）の検出電流が増加した場合に、上記開閉器（71）の溶着を検出するよう構成されている
ことを特徴とするコンテナ用冷凍装置。
【請求項３】
請求項１又は２において、
上記開閉器（71）は、マグネットスイッチ（72,73）によって構成されている
ことを特徴とするコンテナ用冷凍装置。
【発明の詳細な説明】
【技術分野】
【０００１】
本発明は、コンテナ用冷凍装置に関し、特に、電源ラインに設けられたマグネットスイッチの溶着検出手段に係るものである。
【背景技術】
【０００２】
従来より、海上輸送等に用いるコンテナ内を冷却するために、コンテナ用冷凍装置が用いられている（特許文献１参照）。このコンテナ用冷凍装置は、通常、三相交流電源に接続され、該電源から供給された電力によって運転が行われている。具体的には、コンテナ用冷凍装置の構成機器である圧縮機のモータ（圧縮機モータ）や送風ファンのモータ（ファンモータ）などが三相交流電源によって駆動されている。このうち、特に圧縮機においては、三相交流電源と圧縮機モータとが誤配線されて各相（Ｒ相、Ｓ相、Ｔ相）の接続順序がずれてしまう、いわゆる逆相接続が生じることがある。逆相接続が生じると、圧縮機モータが逆回転して損傷又は故障してしまうことがある。このため、従来のコンテナ用冷凍装置では、三相交流電源の逆相を検出して接点を開く逆相防止リレーと相切換スイッチ（マグネットスイッチ）を設け、逆相接続時には、相切換スイッチにより正常な相接続に切り換えるようにしていた。
【先行技術文献】
【特許文献】
【０００３】
【特許文献１】特開２０１１−１１２２６９号公報
【発明の概要】
【発明が解決しようとする課題】
【０００４】
ところで、この相切換スイッチは、チャタリング現象などによって溶着してしまうことがある。このため、従来のコンテナ用冷凍装置では、相切換スイッチと圧縮機モータとの間にも別途、逆相防止リレーを設け、相切換スイッチで正常な相接続に切り換えたのにもかかわらず、逆相防止リレーで再度逆相が検出された場合は、相切換スイッチにおいて溶着が発生しているとみなして圧縮機モータへの通電を停止するようにしていた。つまり、２つの逆相防止リレーを利用して相切換スイッチの溶着を検出するようにしていた。しかしながら、従来のコンテナ用冷凍装置においては、溶着検出のために逆相防止リレーを余計に設けなければならず、その分のコストが上昇してしまうという問題があった。
【０００５】
本発明は、斯かる点に鑑みてなされたものであり、２つの逆相防止リレーを設けることなく、相切換スイッチ（マグネットスイッチ）の溶着を検出することを目的とする。
【課題を解決するための手段】
【０００６】
第１の発明は、三相交流電源（1）に電源ライン（61）を介して接続された負荷（21b,45,46a,46b）と、上記三相交流電源（1）の位相を切り換えることで上記負荷（21b,45,46a,46b）への通電を制御する開閉器（71）とを備えたコンテナ用冷凍装置であって、上記負荷（21b,45,46a,46b）は、冷媒回路に接続される圧縮機（21）およびファン（24,26a,26b）を駆動する圧縮機モータ（21b）およびファンモータ（45,46a,46b）に構成される一方、上記開閉器（71）の接点を切断した状態において、上記ファンモータ（45,46a,46b）のみを駆動させることによる駆動電流の増加に基づいて上記開閉器（71）の溶着を検出する溶着検出器（80）を備えている。
【０００７】
上記第１の発明では、圧縮機モータ（21b）およびファンモータ（45,46a,46b）は、三相交流電源（1）に接続されている。開閉器（71）は、三相交流電源（1）の位相を切り換えることで圧縮機モータ（21b）やファンモータ（45,46a,46b）への通電を制御する。溶着検出器（80）は、開閉器（71）を切断した状態において、ファンモータ（45,46a,46b）のみを駆動させる。この溶着検出器（80）は、ファンモータ（45,46a,46b）の駆動によって電流が増加したことにより、開閉器（71）の溶着を検出する。
【０００８】
第２の発明は、上記第１の発明において、上記三相交流電源（1）の電流を検出する電流検出器（85）を備え、上記溶着検出器（80）は、上記電流検出器（85）の検出電流が増加した場合に、上記開閉器（71）の溶着を検出するよう構成されている。
【０００９】
上記第２の発明では、電流検出器（85）は、三相交流電源（1）の電源電流を検出している。溶着検出器（80）は、開閉器（71）を切断した状態において、ファンモータ（45,46a,46b）の駆動させた際の電流検出器（85）の検出電流（すなわち、電源電流）の増加により、開閉器（71）の溶着を検出する。
【００１０】
第３の発明は、第１又は第２の発明において、上記開閉器（71）は、マグネットスイッチ（72,73）によって構成されている。
【００１１】
上記第３の発明では、溶着検出器（80）は、マグネットスイッチ（72,73）を切断した状態において、ファンモータ（45,46a,46b）のみを駆動させる。この溶着検出器（80）は、ファンモータ（45,46a,46b）の駆動によって電流が増加したことにより、マグネットスイッチ（72,73）の溶着を検出する。
【発明の効果】
【００１２】
上記本発明では、開閉器（71）を切断した状態におけるファンモータ（45,46a,46b）の駆動電流の増加によって開閉器（71）の溶着を検出するようにした。つまり、正逆に回転させても問題の生じないファンモータ（45,46a,46b）を正回転又は逆回転させることによる駆動電流の増加によって開閉器（71）の溶着を検出するようにした。このため、開閉器（71）と圧縮機モータ（21b）との間で三相交流電源（1）の逆相検出を別途行うことなく、開閉器（71）の溶着を検出することができる。これにより、圧縮機モータ（21b）の逆回転を防止することができるため、圧縮機（21）の損傷・故障などを防止することができる。
【図面の簡単な説明】
【００１３】
【図１】実施形態に係るコンテナ用冷凍装置を庫外側から見た斜視図である。
【図２】実施形態に係るコンテナ用冷凍装置の構成を示す側面断面図である。
【図３】実施形態に係るケーシングを庫内側から見たときの斜視図である。
【図４】実施形態に係るコンテナ用冷凍装置の電気回路を示す回路図である。
【図５】実施形態に係る溶着検出動作を示す図である。
【発明を実施するための形態】
【００１４】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００１５】
図１〜図３に示すように、本実施形態のコンテナ用冷凍装置（10）は、海上輸送等に用いられるコンテナ（C）内の冷蔵又は冷凍を行うものである。コンテナ用冷凍装置（10）は、その側方の一端が開放された箱状のコンテナ（C）の開口端を塞ぐように配設される。また、コンテナ用冷凍装置（10）は、冷媒回路（図示省略）を備えている。すなわち、コンテナ用冷凍装置（10）は、冷媒回路の冷凍サイクルを利用してコンテナ（C）の庫内の空気を冷却するように構成されている。尚、図示はしないが、コンテナ（C）の庫内には、冷却対象となる積荷が積まれている。
【００１６】
−コンテナ用冷凍装置の構成−
図１及び図２に示すように、コンテナ用冷凍装置（10）は、有底筒状に形成されたコンテナ（C）の開口端面を塞ぐように周縁部がコンテナ（C）に取り付けられるケーシング（11）を備えている。
【００１７】
ケーシング（11）は、図２に示すように、庫外側に位置する庫外ケーシング（12）と、庫内側に位置する庫内ケーシング（13）とを備えている。庫外ケーシング（12）及び庫内ケーシング（13）は、金属製のアルミニウム合金によって構成されている。
【００１８】
庫外ケーシング（12）は、コンテナ（C）の開口端面を塞ぐようにコンテナ（C）の開口部に取り付けられる。庫外ケーシング（12）は、下部が庫内側へ膨出するように形成されている。
【００１９】
庫内ケーシング（13）は、庫外ケーシング（12）に沿うように形成されていて、庫外ケーシング（12）に対応して庫内側へ膨出している。庫外ケーシング（12）と庫内ケーシング（13）との間の空間には、断熱材（14）が設けられている。ケーシング（11）には、図１に示すように、その上側寄りの位置に開口する開口孔（27）が幅方向に並んで２つ配置されている。開口孔（27）には、メンテナンス時に開閉可能な開閉扉（28）が取り付けられている。また、ケーシング（11）の庫外収納空間（S1）内には、庫外ファン（24）と隣接する位置に電装品ボックス（29）が配設されている。電装品ボックス（29）の内部には、後述する電気回路（60）が収容されている。
【００２０】
このケーシング（11）の下部は、コンテナ（C）の庫内側に向かって膨出するように形成されていて、これにより、ケーシング（11）の下部の庫外には凹部（11a）が形成される。すなわち、ケーシング（11）の下部の庫外側には庫外収納空間（S1）が、ケーシング（11）の上部の庫内側には庫内収納空間（S2）が、それぞれ形成されている。
【００２１】
上記ケーシング（11）の庫内側には、仕切板（48）が設けれている。仕切板（48）は、略矩形状の板部材に構成され、ケーシング（11）と対向するような姿勢で立設されている。この仕切板（48）によって、コンテナ（C）の庫内と庫内収納空間（S2）とが区画されている。そして、仕切板（48）の上端とコンテナ（C）内の天井面との間には隙間が形成されている。この隙間がコンテナ（C）の庫内空気を庫内収納空間（S2）に取り込む吸込口（51）を構成している。また、仕切板（48）の下端とコンテナ（C）内の底面との間には隙間が形成されている。この隙間がコンテナ用冷凍装置（10）で処理した空気（すなわち、庫内空気を冷却した空気）を庫内へ吹き出す吹出口（52）を構成している。
【００２２】
上記庫外収納空間（S1）内には、圧縮機（21）、凝縮器（23）、庫外ファン（24）、庫外モータ（45）が設けられている。圧縮機（21）及び凝縮器（23）は、冷媒回路に接続されている。
【００２３】
上記圧縮機（21）は、吸入した冷媒を圧縮するスクロール型の圧縮機構（21a）と圧縮機モータ（21b）とが駆動軸（21c）で連結されて構成されている。
【００２４】
上記庫外ファン（24）は、庫外モータ（45）によって回転し、庫外の空気を庫外収納空間（S1）内へ誘引して凝縮器（23）へ送るものである。凝縮器（23）では、この庫外空気と冷媒との間で熱交換が行われる。尚、上記庫外モータ（45）は、本発明に係るファンモータを構成している。
【００２５】
上記庫内収納空間（S2）には、ケーシング（11）の庫内側の上部に蒸発器（25）、第１および第２送風ユニット（30a,30b）が設けられている。
【００２６】
上記第１および第２送風ユニット（30a,30b）は、コンテナ（C）の庫内空気を蒸発器（25）へ送るものである。第１および第２送風ユニット（30a,30b）は、庫内収納空間（S2）の上部に設けられ、ケーシング（11）の幅方向に２台が並んで配置されている。
【００２７】
上記第１送風ユニット（30a）は、ファンハウジング（31）と、第１庫内ファン（26a）と、第１庫内モータ（46a）とを備えている。第１庫内ファン（26a）は、第１庫内モータ（46a）によって回転駆動し、コンテナ（C）の庫内の空気を仕切板（48）の上側の吸込口（51）から誘引して蒸発器（25）へ送るものである。第１庫内ファン（26a）は、ファンが高速回転して高風量となる高速運転と、ファンが低速回転して低風量となる低速運転とが切り換えて行われる。
【００２８】
上記第２送風ユニット（30b）は、ファンハウジング（31）と、第２庫内ファン（26b）と、第２庫内モータ（46b）とを備えている。第２庫内ファン（26b）は、第２庫内モータ（46b）によって回転駆動し、コンテナ（C）の庫内の空気を仕切板（48）の上側の吸込口（51）から誘引して蒸発器（25）へ送るものである。第２庫内ファン（26b）は、ファンが高速回転して高風量となる高速運転と、ファンが低速回転して低風量となる低速運転とが切り換えて行われる。
【００２９】
そして、この蒸発器（25）において冷媒との間で熱交換が行われた庫内空気は、第１および第２庫内ファン（26a,26b）によって、仕切板（48）の下側の吹出口（52）から庫内側へ戻される。尚、上記第１および第２庫内モータ（46a,46b）は、本発明に係るファンモータを構成している。
【００３０】
上記蒸発器（25）は、庫内収納空間（S2）へ取り込まれたコンテナ（C）の庫内空気を冷媒と熱交換させて冷却するものである。蒸発器（25）は、冷媒回路に接続されている。
【００３１】
図３に示すように、ケーシング（11）の庫内側上部には、ケーシング（11）の幅方向に延びて蒸発器（25）を保持する蒸発器保持枠（15）が設けられている。蒸発器保持枠（15）の幅方向中央部分は、ケーシング（11）の庫内側の幅方向中央部に固定され且つ上下方向に伸びる枠支持部材（43）の上端部と接続されている。
【００３２】
サイドステー（40）は、ケーシング（11）の幅方向両端側に立設し、庫内側に膨出したケーシング（11）下部に接続されている。蒸発器保持枠（15）は、その幅方向両端部がサイドステー（40）で支持されるとともに、幅方向中央部が枠支持部材（43）で支持されている。なお、枠支持部材（43）は、断面略コの字状に形成された柱状部材であり、ケーシング（11）下部の庫内側の幅方向中央部分に上下方向に延びるように設けられている。
【００３３】
−冷媒回路の構成−
冷媒回路には、圧縮機（21）と、凝縮器（23）と、レシーバと、過冷却熱交換器と、膨張弁と、蒸発器（25）とが冷媒管によって接続されて構成されている。また、冷媒回路では、後述する制御回路（80）によって溶着検出運転、冷蔵運転、又は冷凍運転が切り換えて行われる。
【００３４】
−電気回路−
次に、図４に示すように、本実施形態に係る電気回路（60）について説明する。この電気回路（60）は、コンテナ用冷凍装置（10）の冷媒回路を駆動制御するためのものである。電気回路（60）は、負荷回路（70）と制御回路（80）とを備えている。負荷回路（70）および制御回路（80）は、三相配線に構成される電源ライン（61）を介して三相交流電源（1）に接続されている。
【００３５】
上記電源ライン（61）は、Ｒ相線とＳ相線とＴ相線との３本の配線で構成されている。電源ライン（61）には、負荷回路（70）と制御回路（80）とが接続されている。
【００３６】
上記負荷回路（70）は、正順切換回路（71）と圧縮機モータ（21b）と庫外モータ（45）と第１および第２庫内モータ（46a,46b）とを備えている。尚、圧縮機モータ（21b）、庫外モータ（45）、第１庫内モータ（46a）および第２庫内モータ（46b）は、本発明に係る負荷を構成している。負荷回路（70）は、三相交流電源（1）から延びる電源ライン（61）に対して圧縮機モータ（21b）、第１庫内モータ（46a）、第２庫内モータ（46b）および庫外モータ（45）が並列に接続されている。そして、負荷回路（70）では、電源ライン（61）において、三相交流電源（1）と圧縮機モータ（21b）および各ファン（24,26a,26b）のモータ（45,46a,46b）との間に正順切換回路（71）が設けられている。
【００３７】
上記正順切換回路（71）は、三相交流電源（1）の位相が誤っている場合に、正しい位相に切り換えるためのものであって、本発明に係る開閉器を構成している。正順切換回路（71）は、第１マグネットスイッチ（72）と第２マグネットスイッチ（73）とを備えている。上記第１マグネットスイッチ（72）は、三相交流におけるＲ相線およびＴ相線に接続された２個の第１接点（72a,72a）を有している。上記第２マグネットスイッチ（73）は、Ｒ相線およびＴ相線から分岐された分岐Ｒ相線および分岐Ｔ相線に接続された２個の第２接点（73a,73a）を有している。
【００３８】
上記圧縮機モータ（21b）は、コンテナ用冷凍装置（10）の圧縮機（21）を回転駆動させるものである。圧縮機モータ（21b）は、圧縮機用接点（78）を介して電源ライン（61）に接続されている。
【００３９】
上記庫外モータ（45）は、上記庫外ファン（24）を回転駆動させるものである。この庫外モータ（45）は、庫外ファン接点（74）を介して電源ライン（61）に接続されている。
【００４０】
上記第１および第２庫内モータ（46a,46b）は、上記第１庫内ファン（26a）および第２庫内ファン（26b）をそれぞれ回転駆動させるものである。第１および第２庫内モータ（46a,46b）は、庫内ファン接点（75）を介して電源ライン（61）に接続されている。この庫内ファン接点（75）は、高風量側接点（76）と低風量側接点（77）とで構成されている。そして、この両接点（76,77）を切り換えることで、各庫内モータ（46a,46b）の高速回転と低速回転とを切り換えることができるようになっている。
【００４１】
上記制御回路（80）は、変圧器（81）と第１制御基板（82）と第２制御基板（83）と第３制御基板（84）とを備えて構成されている。制御回路（80）は、コンテナ用冷凍装置（10）の溶着検出運転および冷却運転を制御するものである。この制御回路（80）は、本発明に係る溶着検出器を構成している。
【００４２】
上記変圧器（81）は、三相交流電源（1）の電圧を２４Ｖの二相交流に変換するものである。上記変圧器（81）から延びる二相配線に第１〜第３の制御基板（82,83,84）が接続されている。
【００４３】
上記第１制御基板（82）は、リモコン装置（RCD）からの指令等に応じて、各制御基板（83,84）に配設される機器の作動を制御するものであり、いわゆるマイコン基板である。この第１制御基板（82）には、コントロール機能を有するＣＰＵが搭載されている（図示省略）。第１〜第３制御基板（82,83,84）は、互いが信号線によって接続されている。
【００４４】
上記第２制御基板（83）は、各機器の接触器と、該接触器のオン・オフを制御する第１〜第１９リレー（Ry1〜Ry19）とを備えている。
【００４５】
上記第２制御基板（83）には、各機器の接触器として、遠隔モニター用レセプタブル（RM）の接触器と、インジェクション電磁弁（ISV）の接触器と、レヒート電磁弁（RSV）の接触器と、ガスバイパス電磁弁（BSV）の接触器と、デフロスト電磁弁（DSV）の接触器と、ホットガス電磁弁（HSV）の接触器と、エコノマイザ電磁弁（ESV）の接触器と、液電磁弁（LSV）の接触器と、圧縮機（21）の内部温度が所定温度以上になると開動作するサーマルスイッチ（CTP）と、庫外モータ（45）の温度が所定温度以上になると開動作するモータサーマルスイッチ（MTP）、高圧が所定以上になると開動作する高圧スイッチ（HPS）と、圧縮機発停用接触器（CC）と、高風量側庫内ファン接触器（EFH）と、低風量側庫内ファン接触器（EFL）と、庫外ファン接触器（CFC）と、位相切換用の第１および第２接触器（PCC1,PCC2）とが配設されている。
【００４６】
尚、圧縮機発停用接触器（CC）をオン／オフすることで圧縮機用接点（78）がオン／オフされ、高風量側庫内ファン接触器（EFH）をオン／オフすることで高風量側接点（76）がオン／オフされ、低風量側庫内ファン接触器（EFL）をオン／オフすることで低風量側接点（77）がオン／オフされ、庫外ファン接触器（CFC）をオン／オフすることで庫外ファン接点（74）がオン／オフされる。
【００４７】
上記第３制御基板（84）は、本発明に係る電流検出器を構成する電流検出回路（85）と、逆相検出回路（86）とが配設されている。電流検出回路（85）では、三相交流電源（1）の電源電流を検出する電源電流検出器（CT1）と、圧縮機モータ（21b）に流れる電流を検出する圧縮電流検出器（CT2）とが設けられている。
【００４８】
上記逆相検出回路（86）は、ブレーカ（CB）の接続配線が逆位相となっている場合にこれを検出し、圧縮機（21）や各ファン（24,26a,26b）が逆回転してしまうのを防ぐための保護用回路である。
【００４９】
−運転動作−
次に、コンテナ用冷凍装置（10）の運転動作について説明する。コンテナ用冷凍装置（10）では、溶着検出運転が行われた後に冷却運転が行われる。
【００５０】
−溶着検出運転−
まず、本実施形態に係る溶着検出運転について図面に基づいて説明する。図５に示すように、溶着検出運転は、コンテナ用冷凍装置（10）の主電源をオンしたときに開始される（ST1）。
【００５１】
次に、位相切換用の第１および第２接触器（PCC1,PCC2）をオフにする（ST2）。こうすすることで、三相交流電源（1）と、圧縮機モータ（21b）および各ファン（24,26a,26b）との間が切断される。このため、電流検出回路（85）の電源電流検出器（CT1）では、電源電流が検出されていない（CT1=0）。
【００５２】
次に、庫外ファン接触器（CFC）をオン状態にする（ST3）。尚、このとき、高風量側庫内ファン接触器（EFH）をオンするようにしてもよい。高風量側庫内ファン接触器（EFH）をオンすることにより電流量が増加し、より溶着検出の精度が向上する。
【００５３】
ここで、正順切換回路（71）の第１マグネットスイッチ（72）および第２マグネットスイッチ（73）の何れかが溶着していると、三相交流電源（1）の位相が誤っている（逆相状態）場合、第１および第２庫内モータ（46a,46b）および庫外モータ（45）が逆回転する場合がある。しかしながら、各モータ（45,46a,46b）が逆回転した場合であっても各ファン（24,26a,26b）が故障することはない。また、三相交流電源（1）の位相が正しい（正相状態）場合、第１および第２庫内モータ（46a,46b）および庫外モータ（45）が正回転するだけである。
【００５４】
次に、電流検出回路（85）の電源電流検出器（CT1）において電源電流を検出する（ST4）。
【００５５】
そして、電源電流検出器（CT1）における検出電流を、検出していない状態（つまり、電流の流れていない状態）（ST2）と比較する（ST5）。
【００５６】
電源電流検出器（CT1）における検出電流が、電流の流れていない状態（ST2）よりも十分に大きくなれば、オンにした庫外ファン接触器（CFC）をオフにする（ST6）。尚、高風量側庫内ファン接触器（EFH）をオンしている場合は、これもオフにする（ST6）。そして、正順切換回路（71）の第１マグネットスイッチ（72）および第２マグネットスイッチ（73）の何れかが溶着していると判断する（ST7）。溶着と判断されると、例えばユーザーに対してエラー表示を行うなどのエラー処理が行われる（ST8）。
【００５７】
一方、電源電流検出器（CT1）における検出電流を、電流の流れていない状態（ST2）と比較し（ST5）、電源電流検出器（CT1）における検出電流が、電流の流れていない状態（ST2）よりも十分に大きくならなければ、オンにした庫外ファン接触器（CFC）をオフにする（ST9）。尚、高風量側庫内ファン接触器（EFH）をオンしている場合は、これもオフにする（ST9）。そして、正順切換回路（71）の第１マグネットスイッチ（72）および第２マグネットスイッチ（73）が溶着していないと判断する（ST10）。溶着していないと判断されると、続いて通常運転が行われる（ST11）。
【００５８】
−冷却動作−
次に、本実施形態に係る冷却運転について説明する。この冷却運転には、冷凍運転と冷蔵運転とが含まれている。
【００５９】
コンテナ用冷凍装置（10）は、圧縮機（21）、庫外ファン（24）、及び第１および第２庫内ファン（26a,26b）を起動させることによって冷却運転が開始される。コンテナ用冷凍装置（10）の冷媒回路では、圧縮機（21）の吐出冷媒が凝縮器（23）へ送られる。この凝縮器（23）では、内部を流通する冷媒が庫外ファン（24）によって送られる庫外空気と熱交換する。その結果、冷媒は庫外空気に放熱して凝縮する。
【００６０】
凝縮器（23）で凝縮した冷媒は、レシーバにおいて飽和液と飽和ガスとに分離され、飽和液が過冷却熱交換器へ送られる。過冷却熱交換器では、流れる冷媒が過冷却される。
【００６１】
過冷却熱交換器で過冷却された冷媒は、膨張弁で減圧された後、蒸発器（25）へ送られる。この蒸発器（25）では、内部を流通する冷媒が第１および第２庫内ファン（26a,26b）によって送られる庫内空気と熱交換する。その結果、冷媒は庫内空気から吸熱して蒸発し、庫内空気が冷却される。なお、庫内空気は、図２に示すように、吸込口（51）から庫内収納空間（S2）に流入して蒸発器（25）を通過する。そして、蒸発器（25）で冷却された後に吹出口（52）から吹き出されて庫内へ戻っていく。蒸発器（25）で蒸発した冷媒は、圧縮機（21）に吸入されて再び圧縮される。
【００６２】
−実施形態の効果−
上記実施形態によれば、正順切換回路（71）の第１および第２マグネットスイッチ（72,73）をオフにした状態において庫外モータ（45）、第１および第２庫内モータ（46a,46b）の駆動電流の増加によって第１および第２マグネットスイッチ（72,73）の溶着を検出するようにした。つまり、正逆に回転させても問題の生じない庫外モータ（45）、第１および第２庫内モータ（46a,46b）を正回転又は逆回転させることによる駆動電流の増加によって第１および第２マグネットスイッチ（72,73）の溶着を検出するようにした。このため、第１および第２マグネットスイッチ（72,73）と圧縮機モータ（21b）との間で三相交流電源（1）の逆相検出を別途行うことなく、第１および第２マグネットスイッチ（72,73）の溶着を検出することができる。これにより、圧縮機モータ（21b）の逆回転を防止することができるため、圧縮機（21）の損傷・故障などを防止することができる。
【００６３】
〈その他の実施形態〉
本発明は、上記実施形態について、以下のような構成としてもよい。
【００６４】
上記実施形態では、溶着検出運転において、第１および第２庫内ファン（26a,26b）を高速回転させるようにしたが、本発明は、これに限られず、上記第１および第２庫内ファン（26a,26b）を低速で回転させるようにしてもよい。
【００６５】
また、上記実施形態では、溶着検出運転において、三相交流電源（1）の電源電流を検出するようにしたが、本発明はこれに限られず、庫外ファン（24）、又は第１および第２庫内ファン（26a,26b）に流れる電流を直接検出するようにしたもよい。
【００６６】
尚、以上の実施形態は、本質的に好ましい例示であって、本発明、その適用物、あるいはその用途の範囲を制限することを意図するものではない。
【産業上の利用可能性】
【００６７】
以上説明したように、本発明は、コンテナ用冷凍装置について有用である。
【符号の説明】
【００６８】
１            三相交流電源
２１          圧縮機
２１ｂ        圧縮機モータ
４５          庫外モータ
４６ａ        第１庫内モータ
４６ｂ        第２庫内モータ
６１          電源ライン
７２          第１マグネットスイッチ
７３          第２マグネットスイッチ
８０          制御回路
８５          電流検出回路
【図１】
2013029294.tif 000003
【図２】
2013029294.tif 000004
【図３】
2013029294.tif 000005
【図４】
2013029294.tif 000006
【図５】
2013029294.tif 000007